(57)【要約】【課題】  ＧＰＯＮにおいて、ＧＥＭを支援するＯＮＵに対してもＯＮＴ管理制御情報を伝達することのできるＧＥＭフレーム構造及び前記ＧＥＭフレーム構造を利用したデータ処理方法を提供する。【解決手段】  ＧＥＭフレーム構造は、ＧＥＭヘッダ部及びＧＥＭペイロード部を含み、前記ＧＥＭヘッダ部は、トラヒックマルチプレキシングのためにトラヒック区別するための値を表示し、ギガビット受動型光加入者ネットワークにおけるフレームのペイロードタイプをさらに含み、ここで、ペイロードタイプは、ＯＬＴからの管理制御情報を伝達するＧＥＭコントロールフレームを提供するために、ＧＥＭフレームのペイロードのデータタイプを表示する。【選択図】    図５
2004320746.tif 000002
【特許請求の範囲】
【請求項１】
ＧＥＭフレーム構造において、
ＧＥＭヘッダ部及びＧＥＭペイロード部を含み、
前記ＧＥＭヘッダ部は、トラヒックマルチプレキシングのためにトラヒック区別するための値を表示し、ギガビット受動型光加入者ネットワークにおけるフレームのペイロードタイプをさらに含み、ここで、ペイロードタイプは、ＯＬＴからの管理制御情報を伝達するＧＥＭコントロールフレームを提供するために、ＧＥＭフレームのペイロードのデータタイプを表示することを特徴とするＧＥＭフレーム構造。
【請求項２】
前記ペイロードタイプに関する情報は、
前記ＧＥＭフレームのペイロードのデータタイプを表示して、前記ＧＥＭフレームがコントロールフレーム、時分割多重方式データフレームまたはイーサネット(登録商標)データフレームのいずれか１つであることを表示する請求項１に記載のＧＥＭフレーム構造。
【請求項３】
前記ペイロードタイプに関する情報は、
前記ＧＥＭフレームのヘッダにおいて特定値が定義されていない保留フィールドを利用して表示される請求項１または請求項２に記載のＧＥＭフレーム構造。
【請求項４】
前記ペイロードタイプに関する情報は、
前記ＧＥＭフレームのヘッダに含まれた他の特定値を定義した所定のフィールドに含まれて、前記ＧＥＭフレームのペイロードのデータタイプを表示する請求項１または請求項２に記載のＧＥＭフレーム構造。
【請求項５】
ギガビット受動型光加入者ネットワークにおけるデータ処理方法において、
ＯＬＴは、伝送しようとするフレームを受信すると、前記受信フレームが非同期転送モード方式のフレームであるか否かを確認する第１段階と、
第１段階の確認結果、前記受信フレームが非同期転送モード方式フレームである場合、ＡＴＭセル転送方式で伝送する第２段階と、 
第１段階の確認結果、前記受信フレームが非同期転送モード方式フレームでない場合、前記受信フレームがＧＥＭフレームであると判断し、前記受信フレームがデータフレームであるか否かを確認する第３段階と、
第３段階の確認結果、前記受信フレームがデータフレームである場合、前記受信フレームに対してデータカプセル化を遂行することによってそのペイロードタイプを表示して伝送する第４段階と、
第３段階の確認結果、前記受信フレームがデータフレームでない場合、前記受信フレームを利用してコントロールフレームを生成し、ペイロードタイプを表示して前記制御フレームを伝送する第５段階と、
を含むことを特徴とするギガビット受動型光加入者ネットワークにおけるデータ処理方法。
【請求項６】
第４段階は、
第３段階の確認結果、前記受信フレームがデータフレームである場合、前記受信フレームの伝送方式を確認する第６段階と、
第６段階において確認された伝送方式が時分割多重方式である場合、前記受信フレームに対して時分割多重データカプセル化を遂行し、ペイロードタイプを表示して前記受信フレームを伝送する第７段階と、
第６段階において確認された方式がイーサネット(登録商標)方式である場合、前記受信フレームに対してイーサネット(登録商標)データカプセル化を遂行し、ペイロードタイプを表示して前記受信フレームを伝送する第８段階と、を含む請求項５に記載のギガビット受動型光加入者ネットワークにおけるデータ処理方法。
【請求項７】
前記受信フレームがＧＥＭフレームである場合、
前記ＧＥＭフレームは、前記ペイロードタイプを表示することによって、前記ＧＥＭフレームのペイロードがコントロールフレーム、時分割多重データフレームまたはイーサネット(登録商標)データフレームのいずれか１つであることを表示するフィールド有するＧＥＭフレームのヘッダを含む請求項５または請求項６に記載のギガビット受動型光加入者ネットワークにおけるデータ処理方法。
【請求項８】
ギガビット受動型光加入者ネットワークで、ＧＥＭフレームのヘッダに前記ＧＥＭフレームのペイロードタイプを表示して伝送し、前記表示されたペイロードタイプによって動作を遂行するデータ処理方法において、ＧＥＭ方式を支援するＯＮＴは、
ＯＬＴから伝送されたフレームを受信し、前記受信フレームが非同期転送モード方式フレームであるか否かを確認する第１段階と、
第１段階の確認結果、前記受信フレームが非同期転送モード方式フレームでない場合、前記受信フレームのヘッダに含まれたペイロードタイプに関する情報を確認する第２段階と、
前記受信フレームのペイロードタイプによって前記受信フレームを処理する第３段階と、
を含むことを特徴とするギガビット受動型光加入者ネットワークにおけるデータ処理方法。
【請求項９】
第１段階の確認結果、前記受信フレームが非同期転送モード方式フレームである場合、前記受信フレームをエラーとして処理する第４段階をさらに含む請求項８に記載のギガビット受動型光加入者ネットワークにおけるデータ処理方法。
【請求項１０】
前記ＧＥＭフレームヘッダに前記ＧＥＭフレームのペイロードタイプを表示することによって、前記ＧＥＭフレームのペイロードがコントロールフレーム、時分割多重データフレームまたはイーサネット(登録商標)データフレームのいずれか１つであることを表示するフィールドを有するＧＥＭフレームのヘッダを含む請求項８または請求項９に記載のギガビット受動型光加入者ネットワークにおけるデータ処理方法。
【発明の詳細な説明】
【技術分野】
【０００１】
本発明は、ギガビット受動型光加入者ネットワーク(Gigabit-capable Passive Optical Network: 以下、ＧＰＯＮと称する)のＯＮＴ管理制御プロトコルに関する。
【背景技術】
【０００２】
電話局からビル及び家庭までの加入者ネットワークの構成のために、最近は、多様なネットワーク構造及び多様な改善方案が提示されている。例えば、ｘＤＳＬ(x-Digital Subscriber Line)、ＨＦＣ(Hybrid Fiber Coax)、ＦＴＴＢ(Fiber To The Building)、ＦＴＴＣ(Fiber To The Curb)、ＦＴＴＨ(Fiber To The Home)などがある。これらのうち、ＦＴＴｘ(x=B,C,H)は、能動型光加入者ネットワーク(Active Optical Network: 以下、ＡＯＮと称する)構成によって具現された能動型ＦＴＴｘと受動型光加入者ネットワーク(ＰＯＮ)構成によって具現された受動型ＦＴＴｘに区分される。
【０００３】
この時、受動型ＦＴＴｘの具現に関連したＰＯＮは、受動素子による点対多点(point-to-multipoint)のトポロジー(topology)を有するネットワーク構成によって、将来経済性のある光加入者ネットワーク具現方案として提示されている。つまり、ＰＯＮにおいて、１つの終端装置(Optical Line Termination: 以下、ＯＬＴと称する)が複数の光加入者ネットワーク装置(Optical Network Unit: 以下、ＯＮＵと称する)に１×Ｎの受動型光分配器(Optical Distribution Network: 以下、ＯＤＮと称する)を使用して連結されることによって、ツリー構造の分散トポロジーを形成する。
【０００４】
このＰＯＮの形態としては、非同期伝送モード-受動型光加入者ネットワーク(Asynchronous Transfer Mode Passive Optical Network: 以下、ＡＴＭ-ＰＯＮと称する)が最初に開発されて標準化された。前記標準化の内容は、ＩＴＵ-Ｔ(International Telecommunication Union - Telecommunication section)において文書化されたＩＴＵ-Ｔ Ｇ．９８２、ＩＴＵ-Ｔ Ｇ．９８３．１、ＩＴＵ-Ｔ Ｇ．９８３．３に記述されている。さらに、現在ＩＴＵ-ＴによってＧＰＯＮの標準化が進行中である。
【０００５】
図１は、通常のＰＯＮの構成図である。通常のＰＯＮは、１つのＯＬＴ及び複数のＯＮＵを含む。図１において、１つのＯＬＴ１０が３つのＯＮＵ１２ａ、１２ｂ、１２ｃにＯＤＮ１６によって接続された例を示す。
【０００６】
図１を参照すると、ＯＬＴ１０は、ツリー構造のルート(root)に位置し、アクセスネットワークの加入者に情報を提供するための中心役割を遂行する。ＯＤＮ１６は、ＯＬＴ１０に接続され、ツリートポロジー構造を有する。さらに、ＯＤＮ１６は、ＯＬＴ１０から伝送されるダウンストリーム(downstream)データフレームをＯＮＵ１２ａ、１２ｂ、１２ｃに分配し、ＯＮＵ１２ａ、１２ｂ、１２ｃから伝送されるアップストリーム(upstream)データフレームをマルチプレキシングしてＯＬＴ１０に伝送する。一方、ＯＮＵ１２ａ、１２ｂ、１２ｃは、ダウンストリームデータフレームを受信して終端使用者１４ａ、１４ｂ、１４ｃに提供し、終端使用者１４ａ、１４ｂ、１４ｃから出力されるデータをアップストリームデータフレームとしてＯＤＮ１６を通じてＯＬＴ２０に伝送する。この時、ＯＮＵ１２ａ、１２ｂ、１２ｃにそれぞれ連結された終端使用者１４ａ、１４ｂ、１４ｃは、ＮＴ(Network Terminal)を有するＰＯＮにおいて使用されることのできる多種の加入者ネットワーク終端装置を意味する。
【０００７】
一般的に、ＡＴＭ-ＰＯＮにおいては、５３バイトのサイズを有するＡＴＭセル(cell)を一定のサイズでパッケージしたデータフレーム形態でアップストリーム伝送／ダウンストリーム伝送する。図１のようなツリー構造のＰＯＮにおいて、ＯＬＴ１０は、ダウンストリームフレーム内にＯＮＵ１２ａ、１２ｂ、１２ｃのそれぞれに分配されるダウンストリームセルを適切に挿入する。さらに、アップストリーム伝送を遂行する場合、ＯＬＴ１０は、時分割多重(Time Division Multiplexing: ＴＤＭ)方式によってＯＮＵ１２ａ、１２ｂ、１２ｃから伝送されたデータをアクセスする。この時、ＯＬＴ１０が受動素子であるＯＤＮ１６によってＯＮＵ１２ａ、１２ｂ、１２ｃに接続されるので、ＯＬＴ１０は、レンジング(ranging)という仮想距離補正アルゴリズムを利用してＯＤＮ１６においてデータの相互衝突を防止する。さらに、ＯＬＴ１０からＯＮＵ１２ａ、１２ｂ、１２ｃにダウンストリームデータ伝送を遂行する場合、ＯＬＴ１０は、ＯＮＵ１２ａ、１２ｂ、１２ｃと暗号化のための暗号キー及び維持及び管理のためのＯＡＭ(Operations、Administration and Maintenance)メッセージを交換する。従って、アップストリームフレーム／ダウンストリームフレームにおいて一定間隔でメッセージを交換する専用ＡＴＭセルまたは一般ＡＴＭセル内にデータフィールドが提供される。
【０００８】
前述したように標準化が完了されたＧ．９８３シリーズに基づく広帯域受動型光加入者ネットワーク(Broadband Passive Optical Network: 以下、ＢＰＯＮと称する)は、ＡＴＭに基づいて動作する。しかしながら、ＧＰＯＮは、ＡＴＭサービスを処理するセルに基づく伝送方式(ＡＴＭと言われる)だけでなく、ＴＤＭ及びイーサネット(登録商標)サービスのように可変長を有するパケットを処理するＧＥＭ(GPON Encapsulation Method)方式(ＧＥＭと言われる)も支援する。この時、ＡＴＭは、伝送データをセル単位でＧＴＣフレームにマッピングして伝送し、ＧＥＭは、伝送データをフレーム単位でＧＴＣフレームにマッピングして伝送する。
【０００９】
図２は、通常のＧＰＯＮのプロトコルスタック構造を示す図である。図２を参照すると、ＧＰＯＮのプロトコルスタックは、上位階層とインターフェースするプロトコル階層１００、ＧＴＣ階層２００、及びＧＰＭ(GPON Physical Media dependent)階層３００を含む。プロトコル階層１００は、ＡＴＭ(Asynchronous Transfer Mode)クライアント１１０、ＯＭＣＩ(ONT Management Control Interface)１２０、ＧＥＭクライアント１３０、及びＰＬＯＡＭ(Physical Layer Operation Administration Maintenance)モジュール１４０を含む。
【００１０】
このような構成を有するＧＰＯＮプロトコルは、上位階層から伝送されたフレームをＧＴＣ階層２００においてＧＴＣフレームに多重化して伝送する。さらに、ＡＴＭクライアント１１０は、ＡＴＭの伝送方式を支援し、ＧＥＭクライアント１３０は、ＧＥＭの伝送方式を支援する。
【００１１】
ＡＴＭクライアント１１０は、ＡＴＭを利用して固定長さのセル単位で伝送データをＧＴＣフレームにマッピングする。この時、ＧＴＣフレーム内にセル長さ(通常に、５３バイト)より短い長さを有する空間が残る場合、伝送データを次のフレームにマッピングして伝送する。従って、ＡＴＭの場合、セルが分割されない。
【００１２】
しかしながら、ＧＥＭフレームは可変長を有するパケットであるので、ＧＥＭクライアント１３０は、ＧＥＭフレームをＧＴＣフレームにマッピングする時、帯域幅を効率的に使用するために、ＧＥＭフレームを分割して伝送する。
【００１３】
例えば、ＧＥＭクライアント１３０が上位階層から使用者データ(user data)を受信すると、ＧＥＭクライアント１３０は、ＧＴＣ階層２００から現在待機中のＧＴＣフレームの空間情報(例えば、長さ)を受信する。ＧＥＭクライアント１３０は、前記空間情報によって使用者データを複数のＧＥＭフレームに分割するか、それとも、前記使用者データを分割せずに１つのＧＥＭフレームとして形成する。その後、ＧＥＭクライアント１３０は、前記ＧＥＭフレームをＧＴＣ階層２００に伝送する。ＧＴＣ階層２００は、前記ＧＥＭフレームを現在待機中のＧＴＣフレームにマッピングして伝送する。
【００１４】
一方、受信側は、ＧＥＭ階層２０において前述したように分割されたＧＥＭフレームを再組立てした後、上位階層に伝達する。
【００１５】
従来技術においては、ＢＰＯＮのために提供されたＯＮＴ管理制御プロトコルがある。ＢＰＯＮは、Ｇ．９８３．１シリーズにおいて定義されたようにＡＴＭ基盤で動作する。さらに、Ｇ．９８３．２シリーズは、ＢＰＯＮのＯＮＴ管理制御インターフェースを定義する。ＢＰＯＮのＯＮＴ管理制御インターフェースは、ＡＴＭ基盤でも動作する。さらに、Ｇ．９８３．２シリーズは、管理制御情報を伝達するＡＴＭセル基盤のフレーム構造を定義する。
【００１６】
図３は、Ｇ．９８３．２において定義されたＢＰＯＮ ＯＮＴ管理制御情報を伝達するフレームの構造図である。フレームを構成するフィールドの詳細な説明は、次のようである。
【００１７】
まず、ＡＴＭヘッダ３０１は、管理制御のために使用されるチャネルアドレスであるＶＰＩ(Virtual Path Identifier)／ＶＣＩ(Virtual Channel Identifier)値を示す。
【００１８】
反応関係識別子(Transaction Correlation Identifier)３０２は、要請(Request)メッセージと応答(Response)メッセージとの間の関係を示す。
【００１９】
メッセージタイプ(Message Type)３０３は、メッセージの種類を示す。
【００２０】
ディバイス識別子(Device Identifier)３０４は、ＩＴＵ-Ｔ Ｇ．９８３．１基盤のシステム(ＯｘＯＡ)を示す。
【００２１】
メッセージ識別子(Message Identifier)３０５は、“管理固体(Managed entity)”及び“管理固体例(Managed entity instance)”を示す。
【００２２】
メッセージコンテンツ(Message Contents)３０６は、メッセージ タイプ３０３によって定義されたメッセージ内容を示す。
【００２３】
図４は、従来のＴＤＭ及びイーサネット（登録商標）サービスを支援するＧＥＭフレームの構造図である。従来のＧＥＭフレームの構造は、ＴＤＭフレームまたはイーサネット（登録商標）フレームを支援するために定義される。
【００２４】
図４を参照すると、従来のＧＥＭフレームは、ＰＬＩ(L)(１６ビット)４１０、Ｐｏｒｔ ＩＤ(１２ビット)４２０、Ｆｒａｇ(２ビット)４３０、ＦＦＳ(２ビット)４４０、ＨＥＣ(１６ビット)４５０、及びＦｒａｇｍｅｎｔ Ｐａｙｌｏａｄ(Ｌバイト)４６０を含む。
【００２５】
ＰＬＩ(Payload Length Identifier)４１０、Ｐｏｒｔ ＩＤ４２０、Ｆｒａｇ４３０、ＦＦＳ４４０及びＨＥＣ４５０は、ＧＥＭヘッダに含まれる。
【００２６】
ＰＬＩ４１０は、ペイロードの長さを表示するフィールドであり、Ｐｏｒｔ ＩＤ４２０は、トラヒックマルチプレキシングを提供するためにトラヒックを区分するためのＩＤを表示するフィールドであり、Ｆｒａｇ４３０は、ペイロードの分割状態を表示するフィールドであり、ＨＥＣ４５０は、ヘッダエラー検出及びヘッダエラー修正のためのフィールドである。一方、ＦＦＳ４４０は、未定の保留フィールドである。
【００２７】
従来のＧＥＭフレームヘッダに含まれるＦｒａｇ４３０は、Ｆｒａｇ４３０の２ビットを利用することによって現在伝送されるＧＥＭペイロードが分割されたフレームであるか否かを表示する。例えば、分割されなかったＧＥＭフレームは、Ｆｒａｇ４３０を“１１”に設定する。ＧＥＭフレームが分割された場合、前記分割されたＧＥＭフレームの開始フレームはＦｒａｇ４３０を“１０”に設定し、前記分割されたＧＥＭフレームの中間フレームはＦｒａｇ４３０を“００”に設定し、前記分割されたＧＥＭフレームの最後のフレームは、Ｆｒａｇ４３０を“０１”に設定する。従って、Ｆｒａｇ４３０は、ＧＥＭフレームが分割されたフレームであるか否かを示す。さらに、Ｆｒａｇ４３０は、前記ＧＥＭフレームが分割されたフレームである場合、分割されたＧＥＭフレームの部分を示す。
【００２８】
一方、ＩＴＵ-Ｔにおいて標準化進行中のＧＰＯＮは、１つのＯＬＴが複数のＯＮＴと通信する。この時、ＯＬＴは、ＡＴＭ及びＧＥＭの両方、または、ＡＴＭ及びＧＥＭのいずれかを支援してデータを伝送することができる。しかしながら、ＯＮＴは、ＡＴＭ及びＧＥＭのうち１つのモードのみを支援すると定義されている。さらに、ＯＬＴは、通信のために連結されたＯＮＴを管理するためにＯＮＴ管理制御インターフェースが必要である。従って、ＯＬＴが異なる伝送モードを使用してＯＮＴと通信するので、前記ＯＮＴ管理制御インターフェースは異なる伝送モードを支援すべきである。
【００２９】
しかしながら、Ｇ．９８３．２において定義されたＯＮＴ管理制御インターフェースのためのプロトコルは、ＡＴＭ基盤で動作する。従って、ＯＮＴ管理制御パケットは、５３バイトの長さを有するＡＴＭセル(図３を参照)を利用して伝送される。この時、ＡＴＭヘッダは、ＯＮＴ管理制御インターフェースのためのチャネルアドレスであるＶＰＩ／ＶＣＩ値を表示する。さらに、Transaction Correlation Id３０２、メッセージ タイプ３０３、ディバイス識別子３０４、メッセージ識別子３０５、メッセージコンテンツ３０６、ＡＡＬ５トレーラ(trailer)３０７のような情報は、ＡＴＭセルペイロードを通じて伝達される。従って、ＡＴＭによって動作するＯＮＴは、Ｇ．９８３．２によって定義されたＯＮＴ管理制御インターフェースを使用することができる。
【００３０】
しかしながら、ＧＰＯＮにおいて、ＧＥＭのＯＮＴ管理制御インターフェースモードとＡＴＭモードのＯＮＴ管理制御インターフェースは区分されて定義される問題点がある。従って、ＧＥＭンによって動作するＯＮＴは、ＡＴＭのＯＮＴ管理制御インターフェースを使用することができない。
【００３１】
従って、ＧＥＭにおいて、ＯＮＴ管理制御情報を支援することのできるＧＥＭフレーム基盤のＯＮＴ管理制御パケット構造を定義すべきである。つまり、ＧＥＭプロトコルにおいてコントロール情報を伝達する方案が考慮されるべきである。
【発明の開示】
【発明が解決しようとする課題】
【００３２】
本発明は、このような問題点を解決するために提案され、その目的は、ＧＰＯＮにおいて、ＧＥＭを支援するＯＮＵに対してもＯＮＴ管理制御情報を伝達することのできるＧＥＭフレーム構造及び前記ＧＥＭフレーム構造を利用したデータ処理方法を提供することにある。
【課題を解決するための手段】
【００３３】
このような目的を達成するために、本発明に係るＧＥＭフレーム構造は、ＧＥＭフレーム構造において、ＧＥＭヘッダ部及びＧＥＭペイロード部を含み、前記ＧＥＭヘッダ部は、トラヒックマルチプレキシングのためにトラヒック区別するための値を表示し、ギガビット受動型光加入者ネットワークにおけるフレームのペイロードタイプをさらに含み、ここで、ペイロードタイプは、ＯＬＴからの管理制御情報を伝達するＧＥＭコントロールフレームを提供するために、ＧＥＭフレームのペイロードのデータタイプを表示することを特徴とする。
【００３４】
本発明に係るギガビット受動型光加入者ネットワークにおけるデータ処理方法は、ギガビット受動型光加入者ネットワークにおけるデータ処理方法において、ＯＬＴが、伝送しようとするフレームを受信すると、前記受信フレームが非同期転送モード方式のフレームであるか否かを確認する第１段階と、第１段階の確認結果、前記受信フレームが非同期転送モード方式フレームである場合、ＡＴＭセル転送方式で伝送する第２段階と、第１段階の確認結果、前記受信フレームが非同期転送モード方式フレームでない場合、前記受信フレームがＧＥＭフレームであると判断し、前記受信フレームがデータフレームであるか否かを確認する第３段階と、第３段階の確認結果、前記受信フレームがデータフレームである場合、前記受信フレームに対してデータカプセル化を遂行することによってそのペイロードタイプを表示して伝送する第４段階と、第３段階の確認結果、前記受信フレームがデータフレームでない場合、前記受信フレームを利用してコントロールフレームを生成し、ペイロードタイプを表示して前記制御フレームを伝送する第５段階と、を含むことを特徴とする。
【００３５】
本発明に係るギガビット受動型光加入者ネットワークにおけるデータ処理方法は、ギガビット受動型光加入者ネットワークで、ＧＥＭフレームのヘッダに前記ＧＥＭフレームのペイロードタイプを表示して伝送し、前記表示されたペイロードタイプによって動作を遂行するデータ処理方法において、ＧＥＭ方式を支援するＯＮＴは、ＯＬＴから伝送されたフレームを受信し、前記受信フレームが非同期転送モード方式フレームであるか否かを確認する第１段階と、第１段階の確認結果、前記受信フレームが非同期転送モード方式フレームでない場合、前記受信フレームのヘッダに含まれたペイロードタイプに関する情報を確認する第２段階と、前記受信フレームのペイロードタイプによって前記受信フレームを処理する第３段階と、を含むことを特徴とする。
【発明の効果】
【００３６】
本発明によると、ペイロードタイプを表示するフィールドがＧＥＭヘッダに含まれるが、ペイロードタイプを表示するフィールドはＧＥＭフレーム他の位置に含まれることができる。さらに、本発明によると、ＯＮＴ管理制御情報伝達のためのメカニズムのみを定義し、前記コントロールフレームの細部フィールドは定義しない。
【発明を実施するための最良の形態】
【００３７】
以下、本発明の好適な一実施形態について添付図を参照しつつ詳細に説明する。下記の説明において、本発明の要旨のみを明確にする目的で、関連した公知機能又は構成に関する具体的な説明は省略する。
【００３８】
現在、ＧＥＭフレームは、ＴＤＭデータ及びイーサネット(登録商標)データを支援するための方案のみが定義されている。従って、本発明によると、ＧＥＭフレームは、データフレームとコントロールフレームに分けられる。さらに、データフレームは、ＴＤＭデータフレームとイーサネット（登録商標）データフレームに分けられる。最後に、コントロールフレームを定義する。
【００３９】
本発明によると、前述したようなＧＥＭフレームのペイロードタイプを表示するフィールドを新しく定義する必要がある。例えば、このような必要によって新しく定義された本発明によるＧＥＭフレームは、図５に示すようである。
【００４０】
図５は、本発明によるＧＥＭフレームの構造図である。
図５を参照すると、ＧＥＭフレームは、ＧＥＭヘッダ(GEM header)５００とＧＥＭペイロード(GEM Payload)５１０に分けられる。ＧＥＭヘッダ５００は、本発明によるペイロードタイプ(Payload Type)５０１を含む。
【００４１】
ここで、ＧＥＭヘッダ５００は、ＧＥＭペイロード５１０の長さを表示する。ＧＥＭヘッダ５００は、トラヒックマルチプレキシングを提供するために、トラヒックを区分する値を含む。従って、ＧＥＭヘッダ５００は、ＧＥＭペイロード５１０に関する情報を有する部分である。
【００４２】
特に、本発明は、ペイロードタイプフィールド５０１は、ＧＥＭヘッダ５００に含まれて、ＧＥＭフレームがコントロールフレームであるか、ＴＤＭデータフレームであるか、イーサネット（登録商標）データフレームであるかを表示する。つまり、ペイロードタイプフィールド５０１は、ＧＥＭヘッダ５００及びＧＥＭペイロード５１０から構成されたＧＥＭフレームのＧＥＭペイロード５１０に対応する所定の値を表示することによってＧＥＭヘッダ５００においてＧＥＭフレームのタイプを定義する。つまり、ペイロードタイプフィールド５０１は、ＧＥＭフレームのフレームタイプを示す。
【００４３】
例えば、ペイロードタイプフィールド５０１は、２ビットとして表示される。ペイロードタイプフィールド５０１の値が“００”であると、ＧＥＭフレームがコントロールフレームに対応することを示す。ペイロードタイプフィールド５０１の値が“０１”であると、ＧＥＭフレームがＴＤＭデータフレームに対応することを示す。ペイロードタイプフィールド５０１の値が“１０”であると、ＧＥＭフレームがイーサネット（登録商標）データフレームに対応することを示す。ここで、ペイロードタイプフィールド５０１の２ビットは、本発明によって例示されたビットの数であり、２ビットに限定されることではない。従って、ペイロードタイプフィールド５０１は、フレームタイプを表示するために２ビットより大きいビットを利用することができ、ペイロードタイプフィールド５０１のサイズは、フレームタイプの表示と共に他の情報を表示するために大きく定義されることもできる。
【００４４】
ペイロードタイプフィールド５０１は、本発明によるＧＥＭヘッダ５００の未使用フィールドによって使用されることができる。さらに、ペイロードタイプフィールド５０１は、ＧＥＭヘッダ５００内の他のフィールドに含まれて使用されることもできる。
【００４５】
図６は、本発明によるＧＥＭフレームを利用したデータ処理方法においてデータ伝送過程を示すフローチャートである。まず、伝送しようとするフレームが入力されると(段階６０１)、前記入力フレームがＡＴＭ方式のフレームであるか否かを確認する(段階６０２)。確認結果、前記入力フレームがＡＴＭフレームである場合、前記入力フレームはＡＴＭ方式のフレームとして伝送される(段階６０３)。
【００４６】
一方、段階６０２の確認結果、前記入力フレームがＡＴＭフレームでない場合、前記入力フレームはＧＥＭフレームとして判断される。次に、前記入力フレームがデータフレームであるか否かを確認する(段階６０４)。前記入力フレームがデータフレームである場合、対応するデータがＴＤＭまたはイーサネット(登録商標)のうちどの方式によって伝送されたかを判断し、前記伝送方式によって前記対応するデータをＴＤＭデータカプセル化して伝送するか(段階６０６)、イーサネット（登録商標）データカプセル化して伝送する(段階６０７)。
【００４７】
さらに、前記入力フレームがデータフレームでない場合、コントロールフレームを生成して伝送する(段階６０８)。
【００４８】
図７は、本発明によるＧＥＭフレームを利用したデータ処理方法においてデータ受信過程を示すフローチャートである。
【００４９】
まず、ＯＮＵがデータフレームを受信すると(段階７０１)、前記データフレームがＡＴＭフレームであるか否かを確認する(段階７０２)。
【００５０】
前記データフレームがＡＴＭフレームである場合、前記データフレームはＡＴＭフレーム処理方法によって処理される(段階７０３)。つまり、本発明によると、ＧＥＭを支援するＯＮＵは、前記データフレームをエラーとして処理する。
【００５１】
一方、前記データフレームがＡＴＭフレームでない場合、前記データフレームのペイロードタイプを確認する(段階７０４)。前記確認結果によって、コントロールフレーム、ＴＤＭデータフレーム及びイーサネット（登録商標）データフレームに対応する動作(段階７０５、７０６、７０７)を遂行する。
【００５２】
以上、本発明を具体的な一実施形態を参照して詳細に説明してきたが、本発明の範囲は前述の一実施形態によって限られるべきではなく、本発明の範囲内で様々な変形が可能であるということは、当該技術分野における通常の知識を持つ者には明らかである。
【図面の簡単な説明】
【００５３】
【図１】通常のＰＯＮの構成図である。
【図２】通常のＧＰＯＮのプロトコルスタック構造を示す例示図である。
【図３】Ｇ．９８３．２によって定義されたＢＰＯＮ ＯＮＴ管理制御情報を伝達するフレームの構造図である。
【図４】従来のＴＤＭ及びイーサネット(登録商標)サービスを支援するＧＥＭフレームの構造図である。
【図５】本発明によるＧＥＭフレームの構造図である。
【図６】本発明によるＧＥＭフレームを利用したデータ処理方法においてデータ伝送過程を示すフローチャートである。
【図７】本発明によるＧＥＭフレームを利用したデータ処理方法においてデータ受信過程を示すフローチャートである。
【図１】
2004320746.tif 000003
【図２】
2004320746.tif 000004
【図３】
2004320746.tif 000005
【図４】
2004320746.tif 000006
【図５】
2004320746.tif 000007
【図６】
2004320746.tif 000008
【図７】
2004320746.tif 000009